(57)【要約】【課題】作業時間をより短縮可能な工事用エレベーターのクライミングにおけるトップシーブ固定装置を提供する。【解決手段】トップシーブを有するフレームをトップシーブ装置本体の側方へスライドさせて、ガイドポストを躯体に固定しているガイドポスト固定部の通過口を開き、継ぎ足されたガイドポスへのトップシーブ装置本体のクライミングを行う方式において、ガイドポスト１１、１２とガイドポストに沿って上昇可能なトップシーブ装置本体３０とを、クライミング時を除いて、結合状態にする結合手段４０を具備し、結合手段はトップシーブ装置本体からガイドポストに向かって突出可能かつトップシーブ装置本体側へ没入可能に、トップシーブ装置本体に装備された出没可能な出没金具４１と、出没金具の突出時にその先端部４２と係合可能な位置にてガイドポストに設けられた係合部４３とから構成する。【選択図】          図８
2010047371.tif 000002
【特許請求の範囲】
【請求項１】
トップシーブを有するフレームをトップシーブ装置本体の側方へスライドさせて、ガイドポストを躯体に固定しているガイドポスト固定部の通過口を開き、継ぎ足されたガイドポスへのトップシーブ装置本体のクライミングを行う方式において、
ガイドポストとガイドポストに沿って上昇可能なトップシーブ装置本体とを、クライミング時を除いて、結合状態にする結合手段を具備しており、
結合手段は、トップシーブ装置本体からガイドポストに向かって突出可能かつトップシーブ装置本体側へ没入可能に、トップシーブ装置本体に装備された出没可能な出没金具と、出没金具の突出時にその先端部と係合可能な位置にてガイドポストに設けられた係合部とから構成された工事用エレベーターのトップシーブ固定装置。
【請求項２】
出没金具は、トップシーブ装置本体に固定された筒状の保持筒と、保持筒内部に摺動可能に挿入された止め金具から成り、止め金具の突出位置と没入位置の位置決めのための固定ピン及び固定ピン挿入口を、上記保持筒と止め金具に設けた請求項１記載の工事用エレベーターのトップシーブ固定装置。
【発明の詳細な説明】
【技術分野】
【０００１】
本発明は、工事用エレベーターのクライミング作業に関連して、ガイドポストの上端に配置するトップシーブ装置本体の固定と、その固定解除を円滑に行うためのトップシーブ固定装置に関するものである。
【背景技術】
【０００２】
工事用エレベーターには、搬器の重量とのバランスを取るためにカウンターウエイトを備えたものがあり、このタイプのものでは、搬器とカウンターウエイトとをワイヤーロープで連結し、ワイヤーロープをガイドポストの上端に配置されるトップシーブに掛け回すという構成を有している。ガイドポストは工事の進捗に従って継ぎ足し、建造物の高さに合わせて行く必要があるので、その継ぎ足しの都度、トップシーブを新たなガイドポストの上端に装着し直す必要があった。この継ぎ足し作業をクライミングと称しているが、従来は工事用タワークレーン等を使用してトップシーブを取り外し、一旦、躯体側の適当な箇所に仮置きし、ガイドポスト継ぎ足し後に上端に再装着することを繰り返して行ってきた。壁つなぎを用いて、ガイドポストを躯体に要所で接続する構造を取ることから、壁つなぎを避けなければクライミングができないために、上記の方法を取ることになるものである。
【０００３】
これに対して、出願人は先に、タワークレーン等を使用しなくても、壁つなぎとの抵触を回避しつつクライミング作業を実施可能な技術を開発した（特開２００６−２１３４８９号、特開２００７−１７６６４３号参照）。これらの発明は、どちらもトップシーブを壁つなぎと抵触しない位置に退避させておいて、ガイドポストの継ぎ足しを行なうタイプである。後者の発明について、図９Ａ、Ｂを参照して説明すると、ａはガイドポスト、ｂはトップシーブ装置の本体であり、トップシーブ装置本体ｂはガイドポストａを囲むほぼコの字型の平面形状を有し、ガイドポストａの四隅のレールｃを移動する、ガイド輪ｄを内側四隅に有している。コの字型の開口部分ｍは、ガイドポストａを躯体ｅに固定している壁つなぎと呼ばれるポスト支持部材ｆに向けられており、トップシーブｇを有するフレームｈがこの開口部分ｍを開閉可能に取り付けられている。
【０００４】
上記発明の固定装置では、搬器を所定位置で固定した後、ワイヤーロープｊの尻手ｋをトップシーブｇから取り外し、カウンターウエイトは受け止め装置に預けておく。次いでフレームの要所ｌに設けられているフレーム固定ピンを引き抜き、フレームｈを移動させて開口部分ｍを開くとともに、固定ピンを用いてフレームｈを開いた位置に固定し（図９の状態）、既設のガイドポストａの頂部に次の段階のガイドポストを継ぎ足し、フレームｈを元に戻してピンで固定した後、トップシーブ装置本体ｂを上昇させ、また、ガイドポストａをポスト支持部材ｆによって躯体ｅに固定する作業を行う。従って、トップシーブｇを有するフレームｈを側方へスライドさせることで、クライミング作業の際に壁つなぎｆを避けることができ、クライミングスピードを早めて、作業に要する時間を著しく短縮することが可能になった。
【０００５】
【特許文献１】特開２００６−２１３４８９号
【特許文献２】特開２００７−１７６６４３号
【発明の開示】
【発明が解決しようとする課題】
【０００６】
本発明は、前記のトップシーブを有するフレームをトップシーブ装置本体の側方へスライドさせて、ガイドポストを躯体に固定しているガイドポスト固定部の通過口を開き、継ぎ足されたガイドポスへのトップシーブ装置本体のクライミングを行う方式において、作業時間をさらに短縮可能な工事用エレベーターのクライミングにおけるトップシーブ固定装置を提供することを、その課題とするものである。
【課題を解決するための手段】
【０００７】
前記の課題を解決するため、本発明は、トップシーブを有するフレームをトップシーブ装置本体の側方へスライドさせて、ガイドポストを躯体に固定しているガイドポスト固定部の通過口を開き、継ぎ足されたガイドポスへのトップシーブ装置本体のクライミングを行う方式において、
ガイドポストとガイドポストに沿って上昇可能なトップシーブ装置本体とを、クライミング時を除いて、結合状態にする結合手段を具備するものとし、かつまた、
上記結合手段として、トップシーブ装置本体からガイドポストに向かって突出可能かつトップシーブ装置本体側へ没入可能に、トップシーブ装置本体に装備された出没可能な出没金具と、出没金具の突出時にその先端部と係合可能な位置にてガイドポストに設けられた係合部とによって構成するという手段を講じたものである。
【０００８】
上記の構成を有する本発明の装置では、トップシーブを有するフレームを側方へスライドさせることで、クライミング作業の際に壁つなぎを避け、クライミングスピードを早めることができるものである。従って、前述のクライミング方式の長所を損なうことなく、迅速にクライミングを実行することができる。
【０００９】
さらに本発明の装置では、前述のクライミング方式において、ガイドポストとガイドポストに沿って上昇可能なトップシーブ装置本体とを、クライミング時を除いて、結合状態にする結合手段を具備する。この結合手段は、クライミングに関係しない時には、トップシーブ装置本体をガイドポストに確固に固定し、クライミングの際には固定を素早く解除することを可能にする。
【００１０】
上記結合手段としては、トップシーブ装置本体からガイドポストに向かって突出可能かつトップシーブ装置本体側へ没入可能に、トップシーブ装置本体に装備された出没可能な出没金具と、出没金具の突出時にその先端部と係合可能な位置のガイドポストに設けられた係合部とが必要である。出没金具と係合部は相互に係合可能であることによって、確固な固定と、固定の素早い解除を可能にする。
【００１１】
このような出没金具としては、トップシーブ装置本体に固定された筒状の保持筒と、保持筒内部に摺動可能に挿入された止め金具から成る構成を取ることが望ましい。保持筒とそこに摺動可能に配置された止め金具から成る構成によって、トップシーブ装置本体の荷重を支えるとともに、工事現場において行なわれ勝ちな、粗略な扱いにも耐える構造を持つことになる。
【００１２】
また、上記止め金具の突出位置と没入位置の位置決めのために、固定ピン及びその挿入口を、上記保持筒と止め金具に設けることが望ましい。固定ピンによる位置決めは、抜け止めのためにも好ましいことである。この種の固定ピンとしては、前記結合手段に求められるような構造的強度はほとんど必要ではないが、抜き差しをしやすく、かつ確実に差し込めて、外れ難い構造を有することが望ましい。
【発明の効果】
【００１３】
本発明は以上のように構成されかつ作用するものであるから、ガイドポストを躯体に固定しているガイドポスト固定部の通過口を開き、継ぎ足されたガイドポストへのトップシーブ装置本体のクライミングを行う方式において、出没金具と係合具とから成る結合手段を具備することによって、作業時間をさらに短縮可能な工事用エレベーターのクライミングにおけるトップシーブ固定装置を提供する装置を提供することができる。
【発明を実施するための最良の形態】
【００１４】
以下、図示の実施形態を参照して本発明をより詳細に説明する。図１は、本発明に係るトップシーブ固定装置を適用した工事用エレベーターの全容を示すもので、１１、１２は直立した左右一対のガイドポストであり、両ガイドポスト１１、１２は夫々の四隅にて上下に延びるガイドレール１３、１４、１３′、１４′を有している（図４参照）。両ガイドポスト１１、１２の間には搬器１５が配置されており、その搬器１５は、図１において左右両側に位置する昇降車輪１６、１７を有していて、これらの車輪１６、１７は上記のガイドレール１３、１４に沿って昇降する。
【００１５】
左右一対のガイドポスト１１、１２は、内側の対向面に上下方向のラックレール１８、１９を有しており、搬器１５に装備されている昇降モーター２１によって駆動される、ピニオン２２、２３がラックレール１８、１９と噛み合い、昇降可能な構成になっている。搬器１５には操作盤２４、落下速度の制御のための電磁ブレーキ２５が設けられており、また、ガイドポスト１１、１２の基部内側には搬器１５用の衝撃緩和装置２６が設けられている。
【００１６】
搬器１５はカウンターウエイト２７とワイヤーロープ２０で連結され、そのワイヤーロープ２０はガイドポスト頂部のトップシーブ３１に掛け回されており、トップシーブ３１はトップシーブ装置本体３０に回転可能に設けられている。すなわち、トップシーブ３１は軸受３２にてフレーム３３に取り付けられ、後述するようにトップシーブ３１を有するフレーム３３をトップシーブ装置本体３０の側方へスライドさせて、ガイドポスト１１、１２を躯体３９に固定しているガイドポスト固定部の通過口である開口部分３４を開き、その間に既存のガイドポスト１１、１２への新たなポスト部材の継ぎ足しと、継ぎ足されたガイドポスト部材部分へのトップシーブ装置本体３０のクライミングを、トップシーブ３１の側方へのスライドで行う構成を有している。
【００１７】
図示の例において、トップシーブ装置本体３０はコの字型の平面形状を持つ台枠３５を有し、コの字の開口部分３４は図４、図５及び図６において正面に位置することになる。なお、トップシーブ３１は工事用エレベーターの正面と背面に設けられているが（図３参照）壁つなぎによって躯体３９に固定されるのは背面側（図３において右側）であるので、本発明の固定装置において側方へスライドさせるものも、背面側のトップシーブ３１のみである。このようなトップシーブ装置本体３０のコの字型の台枠３５の内側には、ガイドポスト１１、１２、に設けられたガイドレール１３、１４、１３′、１４′に接触して回転可能となる複数個の回転車輪２８、２９が装着されており、回転車輪２８、２９は各ガイドレール１３、１４、１３′、１４′に２方向から直角に接する配置を取る（図４、図６参照）。
【００１８】
上記フレーム３３はコの字型の台枠３５の開口部分３４を開閉に設けられており、かつ図８に示したように、トップシーブ装置本体３０の背面側に配置されていて、トップシーブ装置本体３０の台枠３５に装備されている複数個のガイドロール３６に、フレーム３３の下枠部分が支えられることよって、左右方向へスライド可能に設けられている。トップシーブ装置本体３０の台枠３５の上面３７は作業台として使用されるように床板が張られており、また、立枠３８によって囲まれている。
【００１９】
このような構成を有するトップシーブ装置本体３０において、本発明では、ガイドポスト１１、１２とガイドポスト１１、１２に沿って上昇可能なトップシーブ装置本体３０とを、クライミング時を除いて、結合状態にする結合手段４０を具備する（図５ないし図７参照）。この結合手段４０は、トップシーブ装置本体３０からガイドポスト１１、１２の方向へ向かって突出可能かつトップシーブ装置本体側へ没入可能に、トップシーブ装置本体３０の台枠３５に装備された出没可能な出没金具４１と、出没金具４１を構成する止め金具４５の突出時にその先端部４２と係合可能な位置のガイドポスト１１、１２側に設けられた係合部４３とから構成されている。
【００２０】
図７に示すように、出没金具４１は、トップシーブ装置本体３０に固定された筒状の保持筒４４と、保持筒内部に摺動可能に挿入された止め金具４５から成り、止め金具４５の突出位置と没入位置の位置決めのための固定ピン４６及び出没時の位置に対応した２箇所の固定ピン挿入口４７、４８を、上記保持筒４４と止め金具４５に設けた構成を有し、保持筒４４と止め金具４５は角型断面による摺動構造として、回転を防止している。また、出没金具４１の止め金具４５の出没操作のために、ハンドル４９が外方の端部に取り付けられている。２箇所の固定ピン挿入口４７、４８にはそれらを突き通し可能な軸状の固定ピン４６が差し込まれ、それによって止め金具４５を突出及び没入の各位置にて固定可能とする。
【００２１】
上記の構成を有する工事用エレベーターのトップシーブ固定装置では、クライミング作業に先立って、トップシーブ装置本体３０をガイドポスト１１、１２における、所定の高さ位置にて固定した状態とする。図８はこの状態でトップシーブ３１を側方へスライドさせた状態を示しており、左側のガイドポスト１１を躯体３９に固定する壁つなぎ即ちポスト支持部材５０の配置された台枠３５の開口部分３４が開かれている。トップシーブ装置本体３０が固定されている状態において、ガイドポスト１１の方向へ向かって出没金具４１を突出させたものが、止め金具４５の先端部４２と係合部４３が係合している、図７Ａに示した状態である。
【００２２】
トップシーブ装置本体３０のクライミングを行うには、図７Ａの状態から固定ピン４６を外して止め金具４５をフリーの状態とし、ハンドル４９を握って止め金具４５を外方へ引き抜いて、図７Ｂに示されるように、係合部４３から止め金具４５の先端部４２が退避した位置へ移動させる。これによって、ガイドポスト１１と、ガイドポスト１１に沿って上昇可能なトップシーブ装置本体３０とを結合している結合手段４０は解除状態となり、トップシーブ装置本体３０をガイドポスト１１に沿って上方へ移動可能となる。そこで、既存のガイドポスト１１、１２への新たなガイドポスト１１、１２の継ぎ足しと、継ぎ足されたガイドポスト１１、１２へのトップシーブ装置本体３０のクライミングをさせることができる。
【００２３】
上記クライミングを終えた後、トップシーブ装置本体３０が固定されている状態において、ガイドポスト１１の方向へ向かって再び出没金具４１を突出させ、止め金具４５の先端部４２を係合部４３と係合した状態とする。これによって、トップシーブ装置本体３０がガイドポスト１１、１２に支えられ、安全に搬機１５の運行を実施することができる状態になる。このように、本発明によれば、出没金具４１と係合具４３とから成る結合手段４０を具備することによって、止め金具４５の抜き差しだけでトップシーブ装置本体３０の固定と固定解除が可能となり、工事用エレベーターのクライミングにおける作業時間をさらに短縮することができる。
【図面の簡単な説明】
【００２４】
【図１】本発明に係る工事用エレベーターのトップシーブ固定装置の例を示すもので、Ａは正面図、Ｂは側面図である。
【図２】同上の装置を拡大して示す正面図である。
【図３】同じく拡大して示した側面図である。
【図４】同じく拡大して示した平面図である。
【図５】同上の装置における結合手段の部分側面図である。
【図６】同じく結合手段を示すもので、Ａは部分平面図、Ｂは部分正面図である。
【図７】同じく結合手段を示すもので、Ａは突出時の平面図、Ｂは没入時の平面図である。
【図８】同上の装置を搭載したトップシーブ装置本体のクライミング時の状態を示す平面図。
【図９】本発明の対象となる工事用エレベーターのトップシーブ固定装置において従来見られた工事用エレベーターのトップシーブ装置を示すもので、Ａは平面図、Ｂは正面図である。
【符号の説明】
【００２５】
１１、１２  ガイドポスト
１３、１４、１３′、１４′  ガイドレール
１５  搬器
１６、１７  昇降車輪
１８、１９  ラックレール
２０  ワイヤーロープ
２１  昇降モーター
２２、２３  ピニオン
２４  操作盤
２５  電磁ブレーキ
２６  衝撃緩和装置
２７  カウンターウエイト
２８、２９  回転車輪
３０  トップシーブ装置本体
３１  トップシーブ
３２  軸受
３３  フレーム
３４  開口部分
３５  台枠
３６  ガイドレール
３７  上面
３８  立枠
３９  躯体
４０  結合手段
４１  出没金具
４２  先端部
４３  係合部
４４  保持筒
４５  止め金具
４６  固定ピン
４７、４８  固定ピン挿入孔
４９  ハンドル
５０  壁つなぎ即ちポスト支持部材
【図１】
2010047371.tif 000003
【図２】
2010047371.tif 000004
【図３】
2010047371.tif 000005
【図４】
2010047371.tif 000006
【図５】
2010047371.tif 000007
【図６】
2010047371.tif 000008
【図７】
2010047371.tif 000009
【図８】
2010047371.tif 000010
【図９】
2010047371.tif 000011